(57)【特許請求の範囲】
【請求項１】
左右のカップ部と、脇から背中部分にかけて巻き付けるように装着するパネル部とからなる女性用被服において、
前記パネル部が一組のテープ部材からなり、一方のテープ部材が、一方のカップ部の脇腹部分の上端部と他方のカップ部の脇腹部分の下端部とに連接されており、他方のテープ部材が、一方のカップ部の脇腹部分の下端部と他方のカップ部の脇腹部分の上端部とに連接されることによって、これらテープ部材が背中の中央部において交叉するように設けられていることを特徴とする女性用被服。
【請求項２】
前記テープ部材が、カップ部の上縁部または／および下縁部に沿ってカップ部の中央部まで延設されていることを特徴とする請求項１に記載の女性用被服。
【発明の詳細な説明】
【０００１】
【発明の属する技術分野】
本発明は、左右のカップ部と、脇から背中部分にかけて巻き付けるように装着するパネル部とからなる女性用被服に係り、より詳細には、両腕を上下させた場合でも体（胴体）にフィットしてずれることのない女性用被服、特にブラジャーに関する。
【０００２】
【従来の技術】
従来のブラジャーの構造を図５（ａ）、（ｂ）に示す。
【０００３】
すなわち、従来のブラジャーは、左右のカップ部８１、８２と、この左右のカップ部８１、８２に縫着されている左側パネル部８３および右側パネル部８４とを有し、これら左側パネル部８３の端部８３ａと右側パネル部８４の端部８４ａとに、それぞれホック８５ａ、８５ｂが設けられた構造となっている。
【０００４】
また、この左側パネル部８３と右側パネル部８４とは、主に横方向への伸縮性を有する素材によって形成されており、さらに、左側パネル部８３および右側パネル部８４のそれぞれの上縁部と下縁部とには、それぞれ横方向に伸縮性を有するゴム状のテープ部材８６、８７が縫着されている。
【０００５】
すなわち、従来のブラジャーでは、主にこの横方向に縫着されたゴム状のテープ部材８６、８７により、カップ部８１、８２をそれぞれ図中矢符Ｘ、Ｙで示す方向に引っ張ることで、カップ部８１、８２を胸元にあてがった状態で保持するようになっている。
【０００６】
【発明が解決しようとする課題】
ところで、例えば腕を上下に上げ下げした場合、人体の構造上、図５（ｂ）中に矢符Ｚで示すように、脇の部分の筋肉も上下に伸縮する。
【０００７】
この場合、従来のブラジャーでは、図５（ｂ）に矢符Ｘ、Ｙで示したように、この上下方向の筋肉の移動に追従するような力が働いていない。むしろ、下側のテープ部材８６は真横に力が作用（図５（ｂ）中、Ｙ方向）し、上側のテープ部材８６は斜め下方に力が作用（図５（ｂ）中、Ｘ方向）するため、何度も腕の上げ下げを行っていると、これに伴ってパネル部８３、８４が下方にさがり、その結果、カップ部８１、８２も下方にずれてしまうといった問題があった。
【０００８】
本発明は係る問題点を解決すべく創案されたもので、その目的は、腕を上げ下げ等しても、カップ部やパネル部（特に、パネル部）が体にフィットしてずれることのない女性用被服を提供することにある。
【０００９】
【課題を解決するための手段】
上記課題を解決するため、本発明の女性用被服は、左右のカップ部と、脇から背中部分にかけて巻き付けるように装着するパネル部とからなる女性用被服において、前記パネル部は、上縁部および下縁部がそれぞれ伸縮性のあるテープ部材で形成されているとともに、前記一方のテープ部材が、一方のカップ部の脇腹部分の上端部と他方のカップ部の脇腹部分の下端部とに連接されており、前記他方のテープ部材が、一方のカップ部の脇腹部分の下端部と他方のカップ部の脇腹部分の上端部とに連接されることによって、これらテープ部材が背中の中央部において交叉するように設けられていることを特徴とする。
【００１０】
このような特徴を有する本発明によれば、各テープ部材の伸縮力が、左側の脇腹から背中を通って右側の脇腹まで一連に作用する。しかも、この力は背中の中央部でＸ状に交叉して、かつ均等な力で働くので、腕を上下させたときの脇腹の上下の伸縮にも柔軟に対応できるようになっている。つまり、各テープ部材が互いに均等な力で引き合うので、腕を上下させたときの脇腹の上下の伸縮にも影響されることなく、体にフィットした状態を安定して保持できるものである。
【００１１】
また、本発明の女性用被服は、上記構成において、テープ部材が、カップ部の上縁部または／および下縁部に沿ってカップ部の中央部まで延設されていることを特徴とする。このように、カップ部の中央部までテープ部材を延設することで、テープ部材の伸縮性がブラジャー全体に作用するので、より体にフィットすることになる。
【００１２】
【発明の実施の形態】
以下、本発明の実施の形態について、図面を参照して説明する。
【００１３】
図１は、本発明の女性用被服であるブラジャーの構造を示す斜視図、図２は、同背面図、図３は体に装着した状態を示す側面図である。
【００１４】
本実施の形態のブラジャーは、フロントホックタイプであって、左右のカップ部１、２と、脇から背中部分にかけて巻き付けるように装着するパネル部３とからなる。この左右のカップ部１、２とパネル部３とは、それぞれ脇腹部分１ａ、２ａで縫着されている。
【００１５】
また、パネル部３の上縁部および下縁部には、伸縮性のあるテープ部材５、６がそれぞれ取り付けられるとともに、このテープ部材５、６が背中の中央部において交叉するように設けられている。
【００１６】
すなわち、具体的に説明すると、一方のテープ部材５が、一方のカップ部１の脇腹部分１ａの上端部１ｂと他方のカップ部２の脇腹部分２ａの下端部２ｃとに連接されており、他方のテープ部材６が、一方のカップ部１の脇腹部分１ａの下端部１ｃと他方のカップ部２の脇腹部分２ａの上端部２ｂとに連接されている。これにより、テープ部材５、６が背中の中央部でたすき状に交叉した状態となる。
【００１７】
なお、テープ部材５、６の交叉部７は、長さ方向の伸縮性を損なうことのないように考慮して縫着されている。ただし、交叉部７は、必ずしも縫着する必要はない。また、本実施の形態では、パネル部３は、これらテープ部材５、６のみによって構成されていてもよい。
【００１８】
このような構造のブラジャーによれば、体（胸部分）に装着したとき、図３に示すように一方のテープ部材５は左側の脇腹から背中中央部を通って右側の脇腹（図示省略）まで一連に力が働き、同様に他方のテープ部材６も左側の脇腹から背中中央部を通って右側の脇腹（図示省略）まで一連に力が働く。しかも、これらの力は背中の中央部でＸ状に交叉しているので、背中の中央部から見て左側（図２中左側）と右側（図２中右側）とで、この力Ｘａ、Ｙａが上下方向については互いに力を打ち消し合うように働くので、全体として見た場合、パネル部３が体を水平方向から押すように（図２中、矢符Ｗ方向に）働くことになる。
【００１９】
また、腕を上げたとき、脇腹の筋肉が上方に上がることによってブラジャーに作用する力（上方へ持ち上げようとする力）は、例えば図３に示す左脇腹の図面では、一方のテープ部材５が斜め下方に引き下げるように作用する力によって打ち消され、腕をさげたとき、脇腹の筋肉が下がることによってブラジャーに作用する力（下方へ引き下げようとする力）は、図３に示す左脇腹の図面では、他方のテープ部材６が斜め上方に引き上げるように作用する力によって打ち消されることになる。
【００２０】
図４は、本発明のブラジャーの他の実施の形態を示す正面図である。本実施の形態では、カップ部１について見ると、一方のテープ部材５の縫着部分５ａはカップ部１の上縁部に沿って延設されておらず、他方のテープ部材６の縫着部分６ａが、そのカップ部１の下縁部に沿って中央部（ホック部分）８まで延設された例を示している。また、カップ部２について見ると、一方のテープ部材５の縫着部分５ｂおよび他方のテープ部材６の縫着部分６ｂが、共にカップ部２の上縁部および下縁部に沿って中央部（ホック部分）８まで延設された例を示している。この例では、テープ部材５、６を延設する具体例（２例）を１つの図面（第４図）にまとめて示しているが、実際の製品では、左右対象形状となるように縫着することは当然である。
【００２１】
このように、カップ部１、２の中央部（ホック部分）８までテープ部材５、６を延設すると、テープ部材５、６の伸縮性がブラジャー全体に作用するので、より安定して体にフィットすることになる。
【００２２】
【発明の効果】
本発明の女性用被服によれば、パネル部を構成する上下の両テープ部材を、背中の中央部でたすき状に交叉するように構成したので、腕を上げ下げ等しても、カップ部やパネル部、特にパネル部が脇腹の筋肉の上下動によって上下にずれるといったことがなく、脇腹の所定位置に安定的にフィットさせることができる。
【図面の簡単な説明】
【図１】本発明の女性用被服であるブラジャーの構造を示す斜視図である。
【図２】図１に示すブラジャーの背面図である。
【図３】図１に示すブラジャーを体に装着した状態を示す側面図である。
【図４】本発明の女性用被服であるブラジャーの他の実施の形態を示す正面図である。
【図５】（ａ）は従来のブラジャーの構造を示す斜視図、（ｂ）は装着時の状態を示す側面図である。
【符号の説明】
１、２  カップ部
１ａ、２ａ  脇腹部分
３  パネル部
５  一方のテープ部材
６  他方のテープ部材
７  交叉部
８  中央部（ホック部分）
【図１】
0003739612.tif 000002
【図２】
0003739612.tif 000003
【図３】
0003739612.tif 000004
【図４】
0003739612.tif 000005
【図５】
0003739612.tif 000006